(57)【要約】【課題】居住人の発熱の存在を検知する人感センサーを、室内機本体内に収容してセンサーカバーで覆い、外観を保持するとともに、人感センサーの検知精度の向上を図れる空気調和機の室内機を提供する。【解決手段】吸込み口から室内空気を吸込んで熱交換し、その熱交換空気を吹出し口から室内へ吹出す室内機本体を備える。室内機本体は、背面側端部から手前側端部に向かって上方に曲成する曲面状に形成される下面部を有する。下面部の背面側端部に前記吹出し口が開口されるとともに、吹出し口に下面部と同一曲面をなす上下風向ルーバが開閉自在に嵌め込まれる。下面部の手前側端部に、下面部と同一曲面をなすセンサーカバーが嵌め込まれ、センサーカバー内に、居住人の存在を検知する人感センサーが収容される。【選択図】図１
2014043997.tif 000002
【特許請求の範囲】
【請求項１】
吸込み口から室内空気を吸込んで熱交換し、その熱交換空気を吹出し口から室内へ吹出す室内機本体を備え、
前記室内機本体は、背面側端部から手前側端部に向かって上方に曲成する曲面状に形成される下面部を有し、
前記下面部の背面側端部に、前記吹出し口が開口されるとともに、前記吹出し口に、前記下面部と同一曲面をなす上下風向ルーバが開閉自在に嵌め込まれ、
前記下面部の手前側端部に、下面部と同一曲面をなすセンサーカバーが嵌め込まれ、
前記センサーカバー内に、居住人存在を検知する人感センサーが取付けられる
ことを特徴とする空気調和機の室内機。
【請求項２】
前記室内機本体の前記下面部に嵌め込まれる前記センサーカバーの側方部位に、下面部と同一曲面をなす、表示部およびリモコン（遠隔操作盤）からの電波を受光する受光部カバーが並設される
ことを特徴とする請求項１記載の空気調和機の室内機。
【請求項３】
前記人感センサーは、互いに所定間隔を存して２個実装されるとともに、所定の拡がり角および互いに同一の俯角を有し、
互いに交差する拡がり角部分に邪魔板を配置して不感域とする
ことを特徴とする請求項１記載の空気調和機の室内機。
【発明の詳細な説明】
【技術分野】
【０００１】
本発明の実施態様は、人感センサーを取付けた空気調和機の室内機に関する。
【背景技術】
【０００２】
人体から発生する熱の存在を検知する焦電タイプの人感センサーを取付けた、空気調和機の室内機が多用される。人感センサーの検知により、居住人の存在するエリアに集中して熱交換空気を送風する、もしくは居住人の存在するエリアを避けて熱交換空気を送風する制御ができることになる。
【０００３】
この種の人感センサーを備えた室内機においても種々の形態があって、１個の人感センサーを室内機本体から突出したうえで左右に回動を繰り返しながら検知するものや、複数個の人感センサーを室内機本体前面に、センサーの配置角度を変えて左右方向に配置した構造のものなどがある。
【先行技術文献】
【特許文献】
【０００４】
【特許文献１】特開２０１０−１９０５２８号公報
【発明の概要】
【発明が解決しようとする課題】
【０００５】
１個の人感センサーを室内機本体から突出し左右に回動を繰り返す構造のものは、人感センサーの駆動・制御構造が複雑化して、コストの増大に繋がる。  
複数個の人感センサーを室内機本体前面部の左右方向位置に配置する構造のものは、室内機本体の筐体内に角度を持った人感センサーを配置するための大きな奥行きスペースを必要とする。このため、室内機本体の奥行き方向が、その取付けスペース分だけ前方に突出してしまい、室内機の筐体寸法が大型化してしまうといった問題点があった。
【０００６】
このような事情から、居住人の存在を検知する人感センサーを、室内機本体の奥行き寸法を拡大することなく内部に収容してセンサーカバーで覆い、外観を保持するとともに、人感センサーの検知精度の向上を図れる空気調和機の室内機が望まれていた。
【課題を解決するための手段】
【０００７】
本実施形態の空気調和機の室内機は、吸込み口から室内空気を吸込んで熱交換し、その熱交換空気を吹出し口から室内へ吹出す室内機本体を備える。  
前記室内機本体は、背面側端部から手前側端部に向かって上方に曲成する曲面状に形成される下面部を有する。  
前記下面部の背面側端部に吹出し口が開口されるとともに、吹出し口に下面部と同一曲面をなす上下風向ルーバが開閉自在に嵌め込まれる。  
前記下面部の手前側端部に、下面部と同一曲面をなすセンサーカバーが嵌め込まれ、センサーカバー内に、居住人の存在を検知する人感センサーが収容される。
【図面の簡単な説明】
【０００８】
【図１】本実施形態に係る、空気調和機の室内機の正面図。
【図２】同実施形態に係る、空気調和機の室内機の上下風向ルーバを閉じた状態の外観斜視図。
【図３】同実施形態に係る、空気調和機の室内機の上下風向ルーバを開いた状態の外観斜視図。
【図４】同実施形態に係る、空気調和機の室内機の縦断面図。
【図５】同実施形態に係る、空気調和機の室内機下面部を構成する表示パネル部の分解斜視図。
【図６】同実施形態に係る、人感センサーの取付け構造図。
【図７】同実施形態に係る、人感センサーの説明図。
【図８】同実施形態に係る、人感センサーと邪魔板の説明図。
【発明を実施するための形態】
【０００９】
以下、本実施形態を図面にもとづいて説明する。  
図１は空気調和機の室内機の正面図であり、図２は室内機の上下風向ルーバを閉じた状態、図３は室内機の上下風向ルーバを開いた状態のそれぞれ外観斜視図であり、図４は室内機の縦断面図である。
【００１０】
室内機本体１は、後板筐体２と、前側筐体である前面パネル３とからなり、上下方向に対して左右幅方向が長い横長の函体形状をなしている。後板筐体２の背面部が室内壁面高所の据付け板に取付けられる、いわゆる壁掛け形のものである。
【００１１】
前記後板筐体２は、室内機本体１の背面部を構成するとともに、前面側の内部に収容される構成部品が取付けられる。前面パネル３は、前面部３ａと左右両側部３ｂと上面部３ｃおよび下面部３ｄを備え、背面が開口する。前面パネル３の開口部が、構成部品を取付けた後板筐体２に前方から嵌め込まれて、室内機本体１が構成される。
【００１２】
前面パネル３の上面部３ｃは、背面側端部から手前側端部に向かって下方に曲成する曲面状をなすとともに、その大部分が開口され、吸込み口５となっている。この吸込み口５には枠状の桟６が嵌め込まれていて、前記桟６によって複数の空間部に仕切られ、室内機本体１内部に対して常に開放状態にある。
【００１３】
前面パネル３の前面部３ａは、平板状で何らの開口部も持たない、極めて美麗に仕上げられた前面化粧パネルである。この前面部３ａである前面化粧パネルは、左右上端部に設けたヒンジ機構を介して上面部３ｃに開閉可能に取付けられていて、室内機本体１内部のメンテナンスに対応可能である。
【００１４】
前面パネル３の左右両側面部３ｂは、平板状をなす。前面パネル３の下面部３ｄは、特に図２、図３および図４に示すように、背面側端部ａから手前側端部ｂに向かって滑らかに上方に曲成する曲面状をなす。
【００１５】
前面パネル３の下面部３ｄにおいて、背面側端部ａと前面側端部ｂのそれぞれから所定距離を置いた略中央部で、かつ左右幅方向全長に亘って吹出し口８が開口している。この吹出し口８に、第１の上下風向ルーバ９ａと、第２の上下風向ルーバ９ｂが開閉自在に嵌め込まれる。
【００１６】
第１の上下風向ルーバ９ａと第２の上下風向ルーバ９ｂは、吹出し口８を閉成した状態で、前面パネル３の下面部３ｄの曲面に沿うよう同一の曲面状をなす。これら上下風向ルーバ９ａ，９ｂが吹出し口８を閉成した状態で、下面部３ｄの曲面状に対する凹凸は無く、美麗を保持する。
【００１７】
第１の上下風向ルーバ９ａと第２の上下風向ルーバ９ｂは、吹出し空気の上下方向の風向を調整する１枚の水平ルーバからなる。吹出し口８内に、吹出し空気の左右方向の風向を調整する複数枚の縦ルーバが設けられる。
【００１８】
さらに、前面パネル下面部３ｄの、第１、第２の上下風向ルーバ９ａ，９ｂが嵌め込まれる吹出し口８の手前側端部と、下面部３ｄの手前側端部ｂとの間のスペースには、後述する人感センサーＧのセンサーカバー１０と、リモコン（遠隔操作盤）からの指示信号を表示する表示部１１および指示信号を受ける受光部カバー１２が横並びに並設される。
【００１９】
このような室内機本体１を被空調室の壁面高所に取付けることにより、図２および図３に示すように、室内機本体１の上面部３ｃを除く、前面部３ａと下面部３ｄおよび左右両側面部３ｂが、居住人の視野範囲に入る。特に、面積の大なる前面部３ａと下面部３ｄが視野範囲の大部分を占めるので、美麗に仕上げる必要がある。
【００２０】
ここでは、前面部３ａが平板状をなし、何らの付属物も備えていない化粧パネルで構成されているので、外観を保持する。下面部３ｄには、人感センサーＧのセンサーカバー１０と表示部１１および受光部カバー１２を備えているが、全て下面部３ｄの曲面状に沿う曲面に形成されている。
【００２１】
さらに、下面部３ｄに開口する吹出し口８には、第１の上下風向ルーバ９ａと第２の上下風向ルーバ９ｂが開閉自在に取付けられる。各上下風向ルーバ９ａ，９ｂの閉塞状態で、下面部３ｄの曲面状に沿う曲面に形成される。  
したがって、空気調和機本体の外観として不必要な凹凸のない、柔らかな落ち着いた形状を保持する。室内の雰囲気を乱すことがなく、商品価値の高い室内機を得られる。
【００２２】
特に、図４に示すように、室内機本体１内には、側面視で略くの字状に湾曲成される前側熱交換器部１３Ａと、斜め直状の後側熱交換器部１３Ｂとを組合せ、略逆Ｖ字状に形成される室内熱交換器１３が配置される。
【００２３】
前側熱交換器部１３Ａの上端部を除くほとんど大部分は、前面パネル３の前面部３ａと間隙を存して対向する。前側熱交換器部１３Ａの上端部と後側熱交換器部１３Ｂは、上面吸込み口５と対向している。
【００２４】
前記室内熱交換器１３の前後側熱交換器部１３Ａ，１３Ｂ相互間には、室内送風機１４が配置される。室内送風機１４は、支持体に支持されるファンモータと、このファンモータの回転軸に嵌着される横流ファンとから構成される。ファンモータの軸方向長さは室内熱交換器１３の幅方向長さに一致し、かつ正しく対向している。
【００２５】
前記前側熱交換器部１３Ａの下端部は前ドレンパン１５ａ上に載り、前記後側熱交換器部１３Ｂの下端部は後ドレンパン１５ｂ上に載る。前、後ドレンパン１５ａ，１５ｂは、後板筐体２に一体成形され、それぞれの熱交換器部１３Ａ，１３Ｂから滴下するドレン水を受け、排水ホースを介して外部に排水できるようになっている。
【００２６】
前後ドレンパン１５ａ，１５ｂの一部側壁外面は室内送風機１４に近接して設けられ、これらで室内送風機１４の横流ファンに対するノーズを構成している。ノーズとなる前後ドレンパン１５ａ，１５ｂの側壁部分と吹出し口８の各辺部との間は、隔壁部材１６によって連結される。
【００２７】
前記隔壁部材１６で囲まれる空間が、室内送風機１４の駆動により、室内送風機１４からノーズと吹出し口８とを連通する吹出し通風路１７となる。その一方で、室内送風機１４の駆動により、前記吸込み口５から室内熱交換器１３を介して室内送風機１４に至る吸込み通風路１８が形成される。
【００２８】
前面パネル３の前面部３ａおよび上面部３ｃと、室内熱交換器１３との間には、フィルタ支持枠体２０が設けられる。このフィルタ支持枠体２０には、エアフィルタ２１を上方向もしくは下方向に移動し支持する。エアフィルタ２１に対向してエアフィルタ清掃装置２２が取付けられ、エアフィルタ２１に溜まった塵埃を除去し収容する。
【００２９】
このようにして構成される空気調和機の室内機であって、リモコン（遠隔操作盤）に備えた運転開始ボタンが押されると、その信号を受光部カバー１２を介して受光素子が受けて制御部へ送る。制御部は、空調運転を開始するよう制御するとともに、運転内容を表示部１１に表示させる。同時に、人感センサーＧへ検知開始指令が出される。
【００３０】
第１、第２の上下風向ルーバ９ａ，９ｂが回動駆動され、吹出し口８を開放する。同時に、図示しない室外機の圧縮機が駆動されるとともに、室内送風機１４の横流ファンが回転駆動されて送風作用をなす。
【００３１】
圧縮機の駆動にともなって冷凍サイクル運転が開始され、室内熱交換器１３に冷媒が導かれる。室内送風機１４の駆動により、上面吸込み口５から室内機本体１内に室内空気が吸込まれて吸込み通風路１８に導かれる。
【００３２】
室内機本体１内に吸込まれた室内空気はエアフィルタ２１を流通し、室内空気に含まれる塵埃が捕捉される。清浄化された室内空気が室内熱交換器１３を流通し、圧縮機から吐出され冷凍サイクル回路を導かれた冷媒と熱交換する。冷房運転が選択された場合は冷気となり、暖房運転が選択された場合は暖気となる。
【００３３】
いずれの熱交換空気も吹出し通風路１７に沿って導かれ、第１の上下風向ルーバ９ａおよび第２の上下風向ルーバ９ｂにより風向が偏向されて、吹出し口８から室内へ吹出される。  
このとき、人感センサーＧが検知した情報にもとづいて、居住人の存在するエリアに集中して、もしくは居住人の存在するエリアを避けて吹出しがなされる。いずれも、リモコンでの設定が可能であり、指示に応じた快適空調が得られる。
【００３４】
図５は、下面部３ｄの吹出し口８の手前側端部と、下面部３ｄの手前側端部ｂとの間のスペース部分を構成する表示パネル部の分解斜視図である。  
表示パネル部は、最も表面側に下面部３ｄの一部を構成する下面部カバー３３ｄが設けられ、この下面部カバー３３ｄと対向して遮蔽板３１が設けられ、さらに最も奥側に取付け基板３５が設けられる。
【００３５】
下面部カバー３３ｄは半透明の材料からなり、下面部３ｄの一部を構成するところから、下面部３ｄと同一の曲面に形成される。下面部カバー３３ｄの略中央部と右側部に、カバー用開口ｄ，ｅを有する。
【００３６】
略中央部のカバー用開口ｄにはセンサーカバー１０が嵌め込まれ、右側部のカバー用開口ｅには受光部カバー１２が嵌め込まれる。これらセンサーカバー１０および受光部カバー１２も、それぞれ下面部３ｄの一部を構成するので、下面部３ｄと同一の曲面に形成される。
【００３７】
下面部カバー３３ｄ内には、遮蔽板３１と取付け基板３５が一体に重ね合わされた状態で設けられる。そして、これら遮蔽板３１と取付け基板３５との間に、２個の人感センサーＧおよび支持基板１０Ａと、表示部構造体１１Ａと、受光素子１２Ａが挟み込まれて固定される。
【００３８】
表示部構造体１１Ａは、ＬＥＤ等を備えていて、この発光文字が下面部カバー３３ｄを透過し、下面部３ｄに形成される表示部１１となる。リモコンからの指示信号は、受光部カバー１２を透過して受光素子１２Ａが受け制御部へ送信するようになっている。
【００３９】
図６は、センサーカバー１０を取外して、遮蔽板３１を露出させた人感センサーＧの取付け構造図である。  
人感センサーＧは２個、互いに所定間隔を存した状態で取付けられていて、この前面には遮蔽板３１の開口部３０が位置する。そして、開口部３０の互いの人感センサーＧに亘った位置に邪魔板３２が設けられ、互いの人感センサーＧの一部が遮蔽される。
【００４０】
開口部３０は、邪魔板３２から離間するにしたがって面積が縮小し、側端部では最も狭い。実際に、人感センサーＧの検知光線は、遮蔽板３１の開口部３０を介してセンサーカバー１０から拡大した状態で照射されるが、この照射検知範囲が互いの近接部から側端部に亘って略均一の状態になるよう、開口部３０が設けられる。  
なお、邪魔板３２が開口部３０に取付けられる理由については後述する。
【００４１】
図７（Ａ）は、人感センサーＧの取付け正面図。図７（Ｂ）は、人感センサーＧの取付け側面図である。  
人感センサーＧは、焦電型の赤外線センサーをセンサー基板に実装し、台座３３に取付けてなる。赤外線センサーにはフレネルレンズが被せられ、平滑な受光面を持ち、その受光面に対向する方向が主検知方向となる。受光面の中心から主検知方向に向かう中心軸は検知感度が最も良好な方向となり、その周りに検知感度の良好な検知範囲が広がる。
【００４２】
図７（Ａ）に示すように、互いの人感センサーＧの中心軸は、台座３３に左右異なる方向に向いた拡がり角度をもっていて、ここでは互いの拡がり角度を略６０°に設定した。当然、その主検知方向が異なるために、広角な検知範囲を得られる。  
図７（Ｂ）に示しように、互いの人感センサーＧは台座３３に俯角Ｅをもって実装され、室内床面の大半をその視野範囲内に収めることができる。ここでは、俯角を略３５°に設定した。
【００４３】
普通、居住人は、睡眠状態以外の覚醒時には、生理的に静止し続けることはできず、短時間内で意識的に、あるいは無意識に、手、脚、顔など身体の一部を動かしている。人感センサーＧは、この動きを検知して、信号を制御部へ出力する。  
制御部では、検知信号を受けて演算制御をなし、居住人から放散する発熱量を、その居住人の周辺部位の発熱量と比較し、居住人の存在を検知する。演算処理の結果に応じて、空気調和機の能力、吹出し口８からの風向などの制御を行う。
【００４４】
図８は、人感センサーＧの検知領域を示す説明図である。  
向かって左側の（以後、「第１の」と呼ぶ）人感センサーＧ１から検知光線が所定の角度θの範囲内に照射され、向かって右側の（以後、「第２の」と呼ぶ）人感センサーＧ２から検知光線が所定の範囲内に照射される。
【００４５】
第１の人感センサーＧ１に係る検知光線の照射範囲が、「検知領域Ａ」となり、第２の人感センサーに係る検知光線の照射範囲が、「検知領域Ｂ」となる。前述したように、互いの人感センサーＧ１、Ｇ２は所定の拡がり角度をもってセンサー基板に取付けられるが、室内を隈なく照射して検知する必要から、それぞれの照射角度θは大に設定される。
【００４６】
当然ながら、第１の人感センサーＧ１から照射される検知光線と、第２の人感センサーＧ２から照射される検知光線とが、重なる範囲が生じる。たとえば、居住人が検知領域Ａから、第１、第２の人感センサーＧ１，Ｇ２の検知光線が重なる部位に移動し、再び検知領域Ａに戻る、もしくは検知領域Ｂへ移動する場合がある。
【００４７】
居住人が第１、第２の人感センサーＧ１，Ｇ２の検知光線が重なる部位に存在すると、その間は、それぞれの人感センサーＧ１，Ｇ２から検知信号が出て認識されることとなり、混乱を招く。  
そこで、上述の邪魔板３２を第１、第２の人感センサーＧ１，Ｇ２の検知光線が重なる部位に設けて照射を遮蔽し、この遮蔽された部位を、「不惑域Ｚ」として認定する。
【００４８】
このことにより、居住人がたとえば検知領域Ａから不惑域Ｚへ移動する、もしくは検知領域Ｂから不惑域Ｚへ移動する、もしくは不惑域Ｚから検知領域Ａあるいは検知領域Ｂへ移動することの認識が明瞭化し、制御誤差の生じる余地がほとんど無くなる。  
このような人感センサーＧ１，Ｇ２を備えた空気調和機の室内機であり、使い勝手の向上を得られる。
【００４９】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５０】
１３…熱交換器、１４…送風機、８…吸込み口、６…吹出し口、１…室内機本体、３ｄ…下面部、９ａ，９ｂ…第１、第２の上下風向ルーバ、Ｇ…人感センサー、１０…センサーカバー、１１…表示部、１２…受光部カバー、３２…邪魔板、Ｚ…不惑域。
【図１】
2014043997.tif 000003
【図２】
2014043997.tif 000004
【図３】
2014043997.tif 000005
【図４】
2014043997.tif 000006
【図５】
2014043997.tif 000007
【図６】
2014043997.tif 000008
【図７】
2014043997.tif 000009
【図８】
2014043997.tif 000010